(57)【要約】    【課題】      静止画像撮影時にカメラ出力動画像をファインダー画像として連続して表示し続けながら、同時に撮影済みの画像を表示すること。    【解決手段】  撮像素子１１が出力した映像信号１００から、信号処理手段１２で動画像データ１０１を生成し、圧縮手段１３で圧縮処理を行い、蓄積手段１４に蓄積する。復号手段１５は、蓄積手段１４から蓄積画像データ１０２を読み出して復号処理を施し、再生静止画データ１０３を再生する。表示制御手段１６は、信号処理手段１２が出力する動画像データ１０１と、復号手段１５が出力する再生静止画像データ１０３を、同時に表示手段１７の第１の表示領域１７１と第２の表示領域１７２へ別々に表示する。  【選択図】      図１
2006121218.tif 000002
【特許請求の範囲】
【請求項１】
被写体像を映像信号として出力する撮像素子と、この映像信号を動画像データに変換する信号処理手段と、この動画像データ又はこれに相応するデータを蓄積画像データとして記憶する蓄積手段と、この蓄積画像データを読み出して復号処理を施し再生静止画像データを生成する復号手段と、第１のスイッチの投入によって前記蓄積手段にて蓄積画像データを記憶し前記復号手段にて再生静止画像データを生成する指示を出力する制御手段と、入力された駆動信号に従って画像を表示する表示手段と、前記信号処理手段が出力する動画像データを表示する第１の画像領域と前記復号手段が出力する再生静止画像データを表示する第２の画像領域とを含む画像を前記表示手段に表示するための駆動信号を生成する表示制御手段と、を有することを特徴とするカメラ。
【請求項２】
カメラ起動後は、前記第１の画像領域のみに前記信号処理手段が出力する動画像データを表示し、前記制御手段にて前記第１のスイッチの投入を検出した際、前記第２の画像領域に最新の前記復号手段が出力する再生静止画像データを表示する前記表示制御手段を有することを特徴とする請求項１に記載のカメラ。
【請求項３】
カメラ起動後前記制御手段による前記第１のスイッチの投入検出前は、前記第１の画像領域及び前記第２の画像領域の両方に前記信号処理手段が出力する動画像データを表示し、前記制御手段にて前記第１のスイッチの投入を検出した際、前記第１の画像領域の表示はそのままで、前記第２の画像領域のみに最新の前記復号手段が出力する再生静止画像データを表示する前記表示制御手段を有することを特徴とする請求項１に記載のカメラ。
【請求項４】
カメラ起動後前記制御手段による前記第１のスイッチの投入検出前は、前記第１の画像領域に前記信号処理手段が出力する動画像データを表示すると共に、前記蓄積手段に蓄積画像データがある場合にのみ前記第２の画像領域に最新の蓄積画像データを前記復号手段にて復号した再生静止画像データを表示し、前記制御手段にて前記第１のスイッチの投入を検出した際、前記第１の画像領域の表示はそのままで、前記第２の画像領域に最新の前記復号手段が出力する再生静止画像データを表示する前記表示制御手段を有することを特徴とする請求項１に記載のカメラ。
【請求項５】
カメラ起動後前記制御手段による前記第１のスイッチの投入検出前は、前記第１の画像領域に前記信号処理手段が出力する動画像データを表示すると共に、前記蓄積手段に蓄積画像データがある場合に前記第２の画像領域に最新の蓄積画像データを前記復号手段にて復号した再生静止画像データを表示し、前記蓄積手段に蓄積画像データがない場合に前記第２の画像領域に予め定められた画像データを表示し、前記制御手段にて前記第１のスイッチの投入を検出した際、前記第１の画像領域の表示はそのままで、前記第２の画像領域に最新の前記復号手段が出力する再生静止画像データを表示する前記表示制御手段を有することを特徴とする請求項１に記載のカメラ。
【請求項６】
前記制御手段に第２のスイッチを具備し、前記第２の画像領域に前記復号手段が出力する再生静止画像データを表示している状態で前記第２のスイッチの投入を検出した場合は、その時点で前記第２の画像領域に表示している再生静止画像データのひとつ前に相当する蓄積画像データを蓄積手段より読み出して前記復号手段にて再生静止画像データを復号し、この再生静止画像データで前記第２の画像領域の表示を更新することを特徴とする請求項１に記載のカメラ。
【請求項７】
前記制御手段に第３のスイッチを具備し、前記第２の画像領域に前記復号手段が出力する再生静止画像データを表示している状態で前記第３のスイッチの投入を検出した場合は、その時点で前記第２の画像領域に表示している再生静止画像データのひとつ後に相当する蓄積画像データを蓄積手段より読み出して前記復号手段にて再生静止画像データを復号し、この再生静止画像データで前記第２の画像領域の表示を更新することを特徴とする請求項１に記載のカメラ。
【請求項８】
前記制御手段に第４のスイッチを具備し、前記第２の画像領域に前記復号手段が出力する再生静止画像データを表示している状態で前記第４のスイッチの投入を検出した場合は、その時点で前記第２の画像領域に表示している再生静止画像データに相当する蓄積画像データを蓄積手段から消去することを特徴とする請求項１に記載のカメラ。
【請求項９】
請求項１から請求項８のいずれかに記載のカメラを具備することを特徴とする電子装置。
【発明の詳細な説明】
【技術分野】
【０００１】
本発明は、静止画像撮影機能を具備しかつ静止画像及び動画像表示機能を具備したカメラに関する。
【背景技術】
【０００２】
近年、レンズなどの光学系を通して固体撮像素子上に投影された被写体像を、電子データとして記録する静止画像記録機能を有するカメラが広く普及している。また、携帯電話に代表される電子装置においても、このようなカメラを内蔵することにより静止画像記録機能が実現している。
【０００３】
このようなカメラを内蔵した電子装置は、一般にＬＣＤ（Ｌｉｑｕｉｄ  ＣｒｙｓＴａｌ  Ｄｉｓｐｌａｙ；液晶ディスプレイ）に代表される表示手段を具備しており、この表示手段は、静止画像撮影前にカメラから出力される動画像をリアルタイム表示することでファインダーとして使用し、あるいは静止画像撮影後に記録された画像を再生表示して記録画像の確認をすることができるようになっている。
【０００４】
かかるカメラや電子装置の表示手段によれば、一般に静止画像撮影直後に撮影者が記録画像の確認を行うために、撮影した静止画像が一定時間優先して表示される。ところが、この記録画像の表示時間中はもう一つのファインダーとしての表示機能である、動画像をリアルタイムで表示させるという機能が停止することになるため、記録画像である静止画像確認中はファインダーを見ながら新たな画像の撮影ができず、利便性を欠くという課題が生じている。
【０００５】
このような問題を解決する方法として、特許文献１に記載される技術は、スイッチを具備し、このスイッチが押されていないときは、静止画撮影後に表示手段へ前回撮影された記録画像を一定時間表示し、このスイッチが静止画撮影後または静止画撮影終了後の記録画像確認中に押されたときには、直ちに表示手段の表示をファインダーとしての動画像のリアルタイム表示とすることが開示される。そして、この特許文献１に示す構成により、スイッチの操作を行った時にはいつでもファインダーとしての動画像のリアルタイム表示に切り替わることができ、シャッタチャンスを逃さないなどカメラの利便性が向上するというものである。
【０００６】
また、別の従来技術として、特許文献２には、表示手段に表示した動画像の中に静止画像も表示するという例も存在し、連写による動画像の撮影が行われている状態で静止画レリーズスイッチの押下によって静止画の撮影が指示された場合、メモリカードに記録される動画像中にて静止画像撮影が指示された時点の画像にフラグを付加し、撮影終了後に動画像の再生表示を行うときに、動画像の表示と並行してフラグが付加された静止画像を動画像内にいわゆるピクチャ・イン・ピクチャとして表示する技術が開示されている。そしてこの特許文献２に示す構成によれば、連写によるいわゆる動画像の撮影中動画像の一部に指定した静止画像の表示を行いながら、指定した静止画像の確認を同時に行うことができるというものである。
【特許文献１】特開平１０−１９１１１９号公報
【特許文献２】特開２００１−４５４０９号公報
【発明の開示】
【発明が解決しようとする課題】
【０００７】
しかしながら、特許文献１に記載のカメラにおいては、静止画表示から動画像のリアルタイム表示に切り替えるスイッチ操作が必要であり、スイッチ及びこのスイッチに伴うハードウェア規模が大きくなり、また動画像のリアルタイム表示を得るためのスイッチ操作も煩雑である。更に、記録画像確認中にて一瞬のシャッタチャンスの場合には、スイッチ操作による動画像リアルタイム表示では間に合わないことも生じ、ファインダー機能としては不十分である。
【０００８】
また、特許文献２に記載の装置においては、動画像と静止画像の同時表示を撮影終了後の再生表示時に行うことについては開示されているが、撮影している動画像の一部を欠いて静止画像を表示することとなり、撮影後の再生動画像の一部に静止画の表示を可能とするだけで、静止画撮影を行う際のカメラのファインダーとしての利便性については不十分である。
【０００９】
本発明は、かかる点に鑑みてなされたものであり、静止画像撮影機能を備え、且つ静止画像及び動画像表示機能を備える表示手段を具備し、従来のような付加的なスイッチ等を必要としない簡単な構成で、静止画像撮影時に動画像をファインダー画像として連続して表示し続けつつ、同時に撮影済みの静止画像を表示することができるカメラを提供することを目的とする。
【課題を解決するための手段】
【００１０】
本発明のカメラは、被写体像を映像信号として出力する撮像素子と、この映像信号を動画像データに変換する信号処理手段と、この動画像データ又はこれに相応するデータを蓄積画像データとして記憶する蓄積手段と、この蓄積画像データを読み出して復号処理を施し再生静止画像データを生成する復号手段と、第１のスイッチの投入によって前記蓄積手段にて蓄積画像データを記憶し前記復号手段にて再生静止画像データを生成する指示を出力する制御手段と、入力された駆動信号に従って画像を表示する表示手段と、前記信号処理手段が出力する動画像データを表示する第１の画像領域と前記復号手段が出力する再生静止画像データを表示する第２の画像領域とを含む画像を前記表示手段に表示するための駆動信号を生成する表示制御手段と、を有する構成を採る。
【発明の効果】
【００１１】
本発明によれば、従来のような付加的な切り替えスイッチ等を必要としない簡単な構成で、静止画像撮影時にもカメラ出力動画像をファインダー画像として第１の画像領域にて連続して表示し続けつつ、同時に撮影済みの画像を第２の画像領域にて表示することができるカメラを提供することができる。
【発明を実施するための最良の形態】
【００１２】
本発明の骨子は、静止画像撮影機能を備え、且つ静止画像及び動画像表示機能を備える表示手段を具備し、静止画像撮影時にカメラ出力動画像をファインダー画像として連続して動画像を表示し続けつつ、別の表示領域にて同時に撮影済みの静止画像を表示する。以下、本発明の実施の形態について、図面を参照して説明する。
【００１３】
（実施の形態１）
図１は、本発明の一実施の形態に係るカメラの構成を示すブロック図である。図１において、カメラは、被写体からの光を取り込むレンズ１０と、撮像素子１１と、信号処理手段１２と、圧縮手段１３と、蓄積手段１４とが順に接続され、次いで復号手段１５と、表示制御手段１６と、表示手段１７とが順に接続され、第１のスイッチ１９ａと、第２のスイッチ１９ｂと、第３のスイッチ１９ｃと、第４のスイッチ１９ｄとが接続されて上記各手段を総括し動作を制御する制御手段１８を有する構成となっている。
【００１４】
ここで、撮像素子１１は、レンズ１０を通して入射した被写体からの光に光電変換を施し、映像信号１００を信号処理手段１２へ出力する素子である。
【００１５】
信号処理手段１２は、入力された映像信号１００に対してホワイトバランス調整や色変換などの信号処理を施して動画像データ１０１を生成し、圧縮手段１３と表示制御手段１６へ出力する手段である。この場合、動画像データ１０１は、連続した静止画像データから構成されている。
【００１６】
圧縮手段１３は、入力された動画像データを構成する静止画像データに対し圧縮処理を施して蓄積画像データ１０２を生成し、蓄積手段１４へ出力する手段である。ここで、圧縮処理としては例えばＪＰＥＧ方式などがあるが、もちろん他の圧縮方式を用いても良い。また、場合によっては、この圧縮手段１３は設けず、あるいはこの圧縮手段１３をバイパスすることで、動画像データ１０１を構成する静止画像データを非圧縮のままで蓄積画像データ１０２とし、蓄積手段１４へ出力しても良い。
【００１７】
蓄積手段１４は、ＲＡＭ、フラッシュメモリ、取り外し可能なメモリカードなどの記憶素子であり、圧縮手段１３が出力した蓄積画像データ１０２を記憶蓄積するものである。復号手段１５は、蓄積手段１４から蓄積画像データ１０２を読み出し、復号によって再生静止画像データ１０３を生成して表示制御手段１６へ出力する手段である。
【００１８】
表示制御手段１６は、信号処理手段１２から入力された動画像データ１０１を、カメラ出力動画像（ファインダー画像）として表示手段１７に表示する一方、復号手段１５から入力された再生静止画像データ１０３を再生静止画像として表示手段１７に表示するものである。
【００１９】
制御手段１８は、信号処理手段１２、圧縮手段１３、蓄積手段１４、復号手段１５、表示制御手段１６の動作を統括するとともに、第１のスイッチ１９ａと、第２のスイッチ１９ｂと、第３のスイッチ１９ｃと、第４のスイッチ１９ｄと、から入力される指示に従って信号処理手段１２、圧縮手段１３、蓄積手段１４、復号手段１５、表示制御手段１６の動作を制御するものである。なお、第１のスイッチ１９ａ、第２のスイッチ１９ｂ、第３のスイッチ１９ｃ、第４のスイッチ１９ｄ、の各オンオフ制御については、後述する。
【００２０】
図２は、一実施の形態に係るカメラに内蔵される図１に示す表示制御手段１６の内部構成と、表示手段１７の表示レイアウトの例を主に示すブロック図である。図２においては、図１と同一のブロックについては同一の符号を付し、詳しい説明を省略する。
【００２１】
図２において、表示制御手段１６は、信号処理手段１２が出力する動画像データ１０１及び復号手段１５が出力する再生静止画像データ１０３が入力され、そして表示手段１７に表示のための駆動信号１０４を出力するもので、フレームメモリ１６０と、メモリ書き込み手段１６１と、メモリ読み出し手段１６２と、駆動手段１６３と、から構成される。
【００２２】
ここで、メモリ書き込み手段１６１は、信号処理手段１２から入力された動画像データ１０１及び復号手段１５から入力された再生静止画像データ１０３に対して必要に応じた解像度変換を施し、表示手段１７での第１の画像領域１７１および第２の画像領域１７２に表示する画像データを生成して、これをフレームメモリ１６０に書き込む機能を有する。
【００２３】
フレームメモリ１６０は、表示手段１７に表示する画像データを記憶するメモリであり、少なくとも表示手段１７の解像度と等しい記憶容量を持つ。メモリ読み出し手段１６２は、フレームメモリ１６０に記憶された画像データを駆動手段１６３へ読み出すものである。
【００２４】
駆動手段１６３はフレームメモリ１６０から読み出された画像データを表示手段１７に表示するための駆動信号１０４を生成し、この駆動信号１０４を表示手段１７へ出力するものである。
【００２５】
ここで、表示手段１７における第１の画像領域１７１は、信号処理手段１２から入力される動画像データ１０１と復号手段１５から入力される再生静止画像データ１０３のいずれから生成しても良い。また、第２の画像領域１７２は、信号処理手段１２から入力される動画像データ１０１と復号手段１５から入力される再生静止画像データ１０３のいずれから生成しても良い。いずれにしても、第１の画像領域１７１と第２の画像領域１７２とで、動画像データ１０１及び再生静止画像データ１０３による表示が行われ得る。
【００２６】
信号処理手段１２から入力される動画像データ１０１から、第１の画像領域１７１もしくは第２の画像領域１７２に表示する画像データを生成した場合、この表示手段１７のいずれかの領域にてカメラ出力動画像が表示されることとなる。
【００２７】
一方、復号手段１５から入力される再生静止画像データ１０３から、第１の画像領域１７１もしくは第２の画像領域１７２に表示する画像データを生成した場合、この表示手段１７のいずれかの領域にて再生静止画像が表示されることとなる。
【００２８】
なお図２の例では、第１の画像領域１７１を親画面、第２の画像領域１７２を子画面として表示レイアウトした例を示したが、これは本発明を限定するものではなく、メモリ書き込み手段１６１での解像度変換とフレームメモリ１６０への書き込みアドレス制御によって様々な表示レイアウトを行うことができる。また、第１の画像領域１７１と第２の画像領域１７２のうちいずれか一方のみを表示することも可能である。
【００２９】
この図２の例では、表示手段１７に画像データを表示する画像領域としてその数を２箇所としたが、２箇所以上の画像領域を設けることも可能である。
【００３０】
図３は、一実施の形態に係るカメラの制御を示すフローチャートである。例えばカメラの電源が投入されてカメラ機能がＯＮすると（ＳＴ１１）、被写体を撮像して信号処理手段１２から出力された動画像データ１０１が表示制御手段１６を介して表示手段１７の第１の画像領域１７１にカメラ出力動画像として表示され、第１の画像領域１７１は静止画撮影を行うためのファインダーとして機能する（ＳＴ１２）。
【００３１】
ここで、制御手段１８がレリーズスイッチとして機能する第１のスイッチ１９ａの押下を検出すると（ＳＴ１３）、信号処理手段１２から出力される動画像データ１０１を構成する静止画像データが圧縮手段１３で圧縮処理され、蓄積画像データ１０２として蓄積手段１４に書き込まれる（ＳＴ１４）。
【００３２】
次に、蓄積手段１４に書き込まれた蓄積画像データ１０２は、復号手段１５へ読み出されて復号され、その結果得られた再生静止画像データ１０３が表示制御手段１６へ出力される（ＳＴ１５）。
【００３３】
表示制御手段１６は、復号手段１５が復号した最新の再生静止画像データ１０３を、表示手段１７の第２の画像領域１７２に再生静止画像として表示する。ここで、既に表示手段１７の第２の画像領域１７２に再生静止画像が表示されている場合は（ＳＴ１６）、第２の画像領域１７２に表示する画像を最新の再生静止画像に更新して表示し（ＳＴ１７）、第２の画像領域１７２が表示されていない場合は、第２の画像領域１７２の表示をこの時点で開始し、最新の再生静止画像を表示する。また、以後レリーズスイッチ１９ａを押下する毎に第２の画像領域１７２の表示を最新の撮影静止画像に更新する（ＳＴ１８）。ここにおいて、表示制御手段１６が第２の画像領域１７２に撮影静止画像を表示している間にも、第１の画像領域にはカメラ出力動画像が連続して表示されている。
【００３４】
このように、本一実施の形態のカメラを用いることにより、第１の画像領域１７１にカメラ出力動画像をファインダー画像として連続して表示し続けつつ、レリーズスイッチ１９ａの押下で第２の画像領域１７２に撮影した静止画像を表示することができ、かつ、以後レリーズスイッチ１９ａを押下する毎に第２の画像領域１７２の表示を最新の撮影静止画像に更新することができるため、カメラの利便性向上に寄与する。
【００３５】
図４は、一実施の形態に係るカメラの別の制御を示すフローチャートである。図４において、図３と同一のステップ（ＳＴ１１、ＳＴ１３、ＳＴ１４、ＳＴ１５、ＳＴ１７）については同一の符号を付し、詳しい説明を省略する。
【００３６】
カメラ機能がＯＮすると（ＳＴ１１）、信号処理手段１２から出力された動画像データ１０１が表示制御手段１６を介して第１の画像領域１７１および第２の画像領域１７２の両画像領域にカメラ出力動画像として表示され、静止画撮影を行うためのファインダーとして機能する（ＳＴ２０）。
【００３７】
ここで、制御手段１８がレリーズスイッチとして機能する第１のスイッチ１９ａの押下を検出すると（ＳＴ１３）、蓄積画像データ１０２の生成、蓄積、復号の各処理が行われる（ＳＴ１４、ＳＴ１５）。
【００３８】
表示制御手段１６は、第２の画像領域１７２に表示されていたカメラ出力動画像を、復号手段１５が生成した最新の再生静止画像データ１０３による再生静止画像に変更する。以後レリーズスイッチ１９ａを押下する毎に第２の画像領域１７２の表示を最新の撮影静止画像で更新する（ＳＴ１７）。
【００３９】
ここで、表示制御手段１６が第２の画像領域１７２に撮影静止画像を表示している間にも、第１の画像領域１７１にはカメラ出力動画像が連続して表示されている。
【００４０】
このように、図４に示す一実施の形態のカメラを用いることにより、カメラ機能のＯＮと同時に第１の画像領域１７１および第２の画像領域１７２にカメラ出力動画像を表示し、第１の画像領域１７１にカメラ出力動画像をファインダー画像として連続して表示し続けつつ、レリーズスイッチ１９ａの押下で第２の画像領域１７２に撮影した静止画像を表示することができ、かつ、以後レリーズスイッチ１９ａを押下する毎に第２の画像領域１７２の表示を最新の撮影静止画像で更新することができるため、カメラの利便性向上に寄与する。
【００４１】
図５は、一実施の形態に係るカメラの更に別の制御を示すフローチャートである。図５において、図３と同一のステップ（ＳＴ１１、ＳＴ１２，ＳＴ１３、ＳＴ１４、ＳＴ１５、ＳＴ１６，ＳＴ１７、ＳＴ１８）については同一の符号を付し、詳しい説明を省略する。
【００４２】
カメラ機能がＯＮすると（ＳＴ１１）、信号処理手段１２から出力された動画像データ１０１が表示制御手段１６を介して第１の画像領域１７１にカメラ出力動画像として表示され、第１の画像領域１７１は静止画撮影を行うためのファインダーとして機能する（ＳＴ１２）。
【００４３】
この場合、蓄積手段１４に蓄積画像データ１０２が存在する場合は（ＳＴ３０）、復号手段１６が蓄積手段１４に存在する最新の蓄積画像データ１０２を読み出し、再生静止画像データ１０３を生成して表示制御手段１６へ出力する。表示制御手段１６は、復号手段１５が出力した再生静止画像データ１０３を、再生静止画像として第２の画像領域１７２に表示する（ＳＴ３１）。
【００４４】
ここで、蓄積手段１４に蓄積された最新の蓄積画像データ１０２を判別する方法としては、例えば、蓄積画像データ１０２の中で記録された時間が最新のものでも良いし、個々の蓄積画像データ１０２に付与した何らかの識別情報で判別するようにしても良い。その後、制御手段１８が第１のスイッチ１９ａの押下を検出すると（ＳＴ１３）、蓄積画像データ１０２の生成、蓄積、復号の各処理が行われる（ＳＴ１４、ＳＴ１５）。さらに、第２の画像領域１７２が表示中か否かを判別し（ＳＴ１６）、第２の画像領域１７２に最新の再生静止画像を表示する処理を行う（ＳＴ１７、ＳＴ１８）。以後レリーズスイッチ１９ａを押下する毎に第２の画像領域１７２の表示を最新の撮影静止画像に更新する（ＳＴ１７）。
【００４５】
このように、図５に示す一実施の形態のカメラを用いることにより、カメラ機能のＯＮと同時に第１の画像領域１７１にカメラ出力動画像を表示し、第１の画像領域１７１にカメラ出力動画像をファインダー画像として連続して表示し続けつつ、記憶手段１４に蓄積画像データ１０２があれば、最新の蓄積画像データ１０２を復号して第２の画像領域１７２に表示し、以後レリーズスイッチ１９ａを押下する毎に第２の画像領域１７２の表示を最新の撮影静止画像に更新することができるため、カメラの利便性向上に寄与する。
【００４６】
図６は、一実施の形態に係るカメラのまた別の制御を示すフローチャートである。図６において、図３及び図５と同一のステップ（ＳＴ１１、ＳＴ１２，ＳＴ１３、ＳＴ１４、ＳＴ１５、ＳＴ１７、ＳＴ３０、ＳＴ３１）については同一の符号を付し、詳しい説明を省略する。
【００４７】
カメラ機能がＯＮすると（ＳＴ１１）、信号処理手段１２から出力された動画像データ１０１が表示制御手段１６を介して第１の画像領域１７１にカメラ出力動画像として表示され、第１の画像領域１７１は静止画撮影を行うためのファインダーとして機能する（ＳＴ１２）。
【００４８】
ここで、蓄積手段１４に蓄積画像データ１０２が存在する場合は（ＳＴ３０）、復号手段１６が蓄積手段１４から最新の蓄積画像データ１０２を読み出し、再生静止画像データ１０３を生成して表示制御手段１６へ出力する。表示制御手段１６は、復号手段１５が出力した再生静止画像データ１０３を、再生静止画像として第２の画像領域１７２に表示する（ＳＴ３１）。ここで、蓄積手段１４に蓄積された最新の蓄積画像データ１０２を判別する方法としては、例えば、蓄積画像データ１０２の中で記録された時間が最新のものでも良いし、個々の蓄積画像データ１０２に付与した何らかの識別情報で判別しても良い。
【００４９】
また、蓄積手段１４に未だ蓄積画像データ１０２が存在しない場合は（ＳＴ３０）、第２の画像領域１７２に任意画像を表示する（ＳＴ４０）。この第２の画像領域１７２に表示する任意画像としては、種々の物があげられるが、例えばブルーバック画像でも良いし、蓄積画像データ１０２が存在しないことを示すメッセージなどでも良い。
【００５０】
以後、制御手段１８が第１のスイッチ１９ａの押下を検出すると（ＳＴ１３）、蓄積画像データ１０２の生成、蓄積、復号の各処理が行われ（ＳＴ１４、ＳＴ１５）、さらに、表示制御手段１６が、第２の画像領域１７２に表示する画像を最新の再生静止画像に切り替える。以後レリーズスイッチ１９ａを押下する毎に第２の画像領域１７２の表示を最新の撮影静止画像に更新する（ＳＴ１７）。
【００５１】
このように、図６に示す一実施の形態のカメラを用いることにより、カメラ機能のＯＮと同時に第１の画像領域１７１にカメラ出力動画像を表示し、第１の画像領域１７１にカメラ出力動画像をファインダー画像として連続して表示し続けながら、記憶手段１４に蓄積画像データ１０２があれば、最新の蓄積画像データ１０２を復号して第２の画像領域１７２に表示し、記憶手段１４に蓄積画像データがなければ、第２の画像領域１７２に任意の画像を表示し、以後レリーズスイッチ１９ａを押下する毎に第２の画像領域１７２の表示を最新の撮影静止画像に更新することができるため、カメラの利便性向上に寄与する。
【００５２】
図７は、一実施の形態に係るカメラの別の制御を示すフローチャートである。図７において、フローチャートの起点となる結合子Ａは、第１の画像領域１７１にカメラ出力動画像をファインダー画像として連続して表示し続けつつ、第２の画像領域１７２に最新の再生静止画像を表示した状態であり、図３および図５の中に記載した結合子Ａと同一の状態である。
【００５３】
結合子Ａの状態において、制御手段１８が処理可否判定用の第２のスイッチ１９ｂの押下を検知すると（ＳＴ５００：ＹＥＳ）、処理可否判定が行われる。具体的には、蓄積手段１４の中に、現在第２の画像領域１７２に表示している再生表示画像よりも前の蓄積画像データ１０２が存在するか否かを判別し、これが存在すれば可と判定する（ＳＴ５０１）。処理可否判定の判定結果が可であれば（ＳＴ５０１：ＹＥＳ）、蓄積手段１４に蓄積された蓄積画像データ１０２の中で、現在第２の画像領域１７２に表示している再生表示画像よりもひとつ前に相当するものを復号手段１５が復号し、表示制御手段１６を介して、第２の画像領域１７２に表示する再生表示画像を更新する（ＳＴ５０２）。
【００５４】
また結合子Ａの状態において、制御手段１８が処理可否判定用の第３のスイッチ１９ｃの押下を検知すると（ＳＴ５１０：ＹＥＳ）、別の処理可否判定が行われる。具体的には、蓄積手段１４の中に、現在第２の画像領域１７２に表示している再生表示画像よりも後の蓄積画像データ１０２が存在するか否かを判別し、これが存在すれば可と判定する（ＳＴ５１１）。
【００５５】
処理可否判定の判定結果が可であれば（ＳＴ５１１：ＹＥＳ）、蓄積手段１４に蓄積された蓄積画像データ１０２の中で、現在第２の画像領域１７２に表示している再生表示画像よりもひとつ後に相当するものを復号手段１５が復号し、表示制御手段１６を介して、第２の画像領域１７２に表示する再生表示画像を更新する（ＳＴ５１２）。さらに結合子Ａの状態において、制御手段１８が蓄積消去用の第４のスイッチ１９ｄの押下を検知すると（ＳＴ５２０：ＹＥＳ）、制御手段１８は、現在第２の画像領域１７２に表示している再生表示画像に相当する蓄積画像データ１０２を蓄積手段１４から消去する（ＳＴ５２１）。
【００５６】
その後、蓄積手段１４に蓄積画像データが存在すれば（ＳＴ５２２：ＹＥＳ）、蓄積手段１４に記憶されている蓄積画像データ１０２のひとつを第２の画像領域１７２に表示する。この時、第２の画像領域１７２に表示する画像は、ステップＳＴ５２１において消去された蓄積画像データ１０２のひとつ前もしくはひとつ後に相当するものでも良いし、常に最新のものを表示するようにしても良い（ＳＴ５２３）。
【００５７】
またもし、蓄積手段１４に蓄積画像データが存在しなければ（ＳＴ５２２：ＮＯ）、第２の画像領域１７２に任意画像を表示する（ＳＴ５２４）。ここで、前または後の蓄積画像データ１０２としては、例えば、個々の蓄積画像データ１０２が記録された時間で判別しても良いし、個々の蓄積画像データ１０２に付与した何らかの識別情報で判別しても良い。
【００５８】
また、蓄積手段１４に既に蓄積画像データ１０２が存在しない場合に第２の画像領域１７２に表示する任意画像としては、例えばブルーバック画像でも良いし、蓄積画像データ１０２が存在しないことを示すメッセージなどでも良い。
【００５９】
このように、図７に示す一実施の形態のカメラを用いれば、第１の画像領域１７１にカメラ出力動画像をファインダー画像として連続して表示し続けつつ、第２のスイッチ１９ｂおよび第３のスイッチ１９ｃの操作によって、第２の画像領域１７２に表示する再生静止画像を、蓄積手段１４に記憶された蓄積画像データ１０２の中から任意に選択することができ、さらに第４のスイッチ１９ｄの操作によって、第２の画像領域１７２に表示している画像に相当する蓄積画像データ１０２を蓄積手段１４から消去することができるため、カメラの利便性向上に寄与する。
【００６０】
図８は、一実施の形態に係るカメラの更に別の制御を示すフローチャートである。図８において、図７と同一のステップ（ＳＴ５００、ＳＴ５０１、ＳＴ５０２、ＳＴ５１０、ＳＴ５１１、ＳＴ５１２、ＳＴ５２０、ＳＴ５２１、ＳＴ５２２、ＳＴ５２３）については同一の符号を付し、詳しい説明を省略する。
【００６１】
図８において、フローチャートの起点となる結合子Ｂは、第１の画像領域１７１にカメラ出力動画像をファインダー画像として連続して表示し続けつつ、第２の画像領域１７２に最新の再生静止画像を表示した状態であり、図４および図６の中に記載した結合子Ｂの状態と同一である。
【００６２】
図８において、第２のスイッチ１９ｂの押下を検出した時の制御ステップＳＴ５００、ＳＴ５０１、ＳＴ５０２および第３のスイッチ１９ｃの押下を検出した時の制御ステップＳＴ５１０、ＳＴ５１１、ＳＴ５１２は、図７で説明したものと全く同等であるため詳しい説明を省略する。
【００６３】
結合子Ｂの状態において、制御手段１８が第４のスイッチ１９ｄの押下を検知した場合（ＳＴ５２０）、制御手段１８は、現在第２の画像領域１７２に表示している再生表示画像に相当する蓄積画像データ１０２を蓄積手段１４から消去する（ＳＴ５２１）。その後、蓄積手段１４に蓄積画像データ１０２が存在すれば（ＳＴ５２２：ＹＥＳ）、蓄積手段１４に記憶されている蓄積画像データ１０２のひとつを第２の画像領域１７２に表示する。この時、第２の画像領域１７２に表示する画像は、ステップＳＴ５２１において消去された蓄積画像データ１０２のひとつ前もしくはひとつ後に相当するものでも良いし、常に最新のものを表示するようにしても良い（ＳＴ５２３）。
【００６４】
またもし、蓄積手段１４に蓄積画像データが存在しなければ（ＳＴ５２２：ＮＯ）、第２の画像領域１７２の表示を停止する（Ｓ５２５）。ここで、前または後の蓄積画像データ１０２とは、例えば、個々の蓄積画像データ１０２が記録された時間で判別しても良いし、個々の蓄積画像データ１０２に付与した何らかの識別情報で判別しても良い。
【００６５】
このように、図８に示す一実施の形態のカメラを用いれば、第１の画像領域１７１にカメラ出力動画像をファインダー画像として連続して表示し続けながら、第２のスイッチ１９ｂおよび第３のスイッチ１９ｃの操作によって、第２の画像領域１７２に表示する再生静止画像を、蓄積手段１４に記憶された蓄積画像データ１０２の中から任意に選択することができ、さらに第４のスイッチ１９ｄの操作によって、第２の画像領域１７２に表示している画像に相当する蓄積画像データを１０２蓄積手段１４から消去することができるため、カメラの利便性向上に寄与する。
【００６６】
図９は、一実施の形態に係るカメラを具備した電子装置の例を示す説明図である。図９において、図１と同一のブロックおよび信号については同一の符号を付し、詳しい説明を省略する。なお、図９の左図は装置の表側を示し、右図は装置の裏側を示す。
【００６７】
図９の電子装置は、筐体９０と、操作キー９１と、表示手段１７と、から主に構成される。またカメラは筐体９０の裏側には、撮影者が表示手段１７を見たときにレンズ１０が被写体側を向くように配置されている。
【００６８】
図９には図示されていないが、撮像素子１１はレンズ１０の直下に配置され、信号処理手段１２と、圧縮手段１３と、復号手段１５と、表示制御手段１６と、制御手段１８は、筐体９０の内部に配置されている。また蓄積手段１４は、筐体９０に内蔵されたメモリ素子、または着脱可能なメモリカードなどで構成されている。図９の例では、方向指示キー９１ａの中央にある決定キー９１ｂに第１のスイッチ１９ａを割り当て、方向指示キー９１ａの左キーに第２のスイッチ１９ｂを割り当て、方向指示キー９１ａの右キーに第３のスイッチ１９ｃを割り当て、クリアキー９１ｃに第４のスイッチ１９ｄを割り当てている。
【００６９】
図９の電子装置では、例えばカメラキー９１ｄによってカメラ機能をＯＮし、その後、第１のスイッチ１９ａを操作することで、第１の画像領域１７１にカメラ出力動画像をファインダー画像として連続して表示し続けながら、同時に、第２の画像領域１７２に再生静止画像を表示することができる。
【００７０】
また第２のスイッチ１９ｂおよび第３のスイッチ１９ｃの操作によって、第２の画像領域１７２に表示する再生静止画像を、蓄積手段１４に記憶された蓄積画像データ１０２の中から任意に選択することができ、さらに第４のスイッチ１９ｄの操作によって、第２の画像領域１７２に表示している画像に相当する蓄積画像データ１０２を蓄積手段１４から消去することができる
【００７１】
このように一実施の形態に係るカメラを具備した電子装置では、静止画撮影中に特別な操作を行うことなく常にカメラから出力される動画像のリアルタイム表示と撮影済みの再生静止画像を同時に得ることができ、かつ任意の撮影済み静止画像の確認や消去を簡単に実現できるため、カメラを具備した電子装置としての利便性向上に寄与する。
【００７２】
図９は、今までに述べてきたカメラを有する電子装置（ここでは携帯電話装置）につき述べたのであるが、更には電話装置のみならず情報端末装置、移動局装置、この移動局装置を有する移動体通信システムについてもこのカメラを具備することができ、同様な作用効果を得ることができる。
【産業上の利用可能性】
【００７３】
本発明は、動画像表示のファインダーに撮像した静止画表示を行うカメラに用いて好適である。
【図面の簡単な説明】
【００７４】
【図１】本発明の一実施の形態に係るカメラの構成の例を示すブロック図
【図２】上記実施の形態に係るカメラを構成する表示制御手段の内部構成と、表示レイアウトの例を示す説明図
【図３】上記実施の形態に係るカメラの制御を示すフローチャート
【図４】上記実施の形態に係るカメラの別の制御を示すフローチャート
【図５】上記実施の形態に係るカメラの更に別の制御を示すフローチャート
【図６】上記実施の形態に係るカメラの別の制御を示すフローチャート
【図７】上記実施の形態に係るカメラの別の制御を示すフローチャート
【図８】上記実施の形態に係るカメラの別の制御を示すフローチャート
【図９】上記実施の形態に係るカメラを具備した電子装置の例を示す概観図
【符号の説明】
【００７５】
１１  撮像素子
１２  信号処理手段
１４  蓄積手段
１５  復号手段
１６  表示制御手段
１７  表示手段
１７１  第１の画像領域
１７２  第２の画像領域
１８  制御手段
１９ａ  第１のスイッチ
１９ｂ  第２のスイッチ
１９ｃ  第３のスイッチ
１９ｄ  第４のスイッチ
１０１  動画像データ
１０２  蓄積画像データ
１０３  再生静止画像データ
１０４  駆動信号
９０  筐体
９１  操作キー
【図１】
2006121218.tif 000003
【図２】
2006121218.tif 000004
【図３】
2006121218.tif 000005
【図４】
2006121218.tif 000006
【図５】
2006121218.tif 000007
【図６】
2006121218.tif 000008
【図７】
2006121218.tif 000009
【図８】
2006121218.tif 000010
【図９】
2006121218.tif 000011